【手続補正書】
【提出日】平成20年6月26日(2008.6.26)
【手続補正１】
【補正対象書類名】特許請求の範囲
【補正対象項目名】全文
【補正方法】変更
【補正の内容】
【特許請求の範囲】
【請求項１】
固有情報を保持する印刷装置と接続されたコンピュータを、
使用する言語として選択可能な言語ごとに関連づけてメッセージ情報を保存するメッセージ保存手段と、
前記印刷装置に保持される固有情報の値ごとに関連づけて部品識別情報を保存する部品識別情報保存手段と、
使用する言語を選択するための言語選択手段と、
前記印刷装置から、該印刷装置に保持された固有情報を取得する取得手段と、
前記言語選択手段により選択された言語に関連づけられたメッセージ情報と、前記取得手段により取得された固有情報の値および前記言語選択手段により選択された言語に関連づけられた部品識別情報とを合成して、出力するメッセージを作成するメッセージ合成手段と
して機能させることを特徴とするプログラム。
【請求項２】
前記固有情報は、前記印刷装置の出荷先地域を示す地域情報を含み、
前記部品識別情報保存手段は、前記地域情報で示される地域ごとに、前記メッセージ保存手段により保存されたメッセージ情報に係る各言語で表現した部品識別情報を保存することを特徴とする請求項１に記載のプログラム。
【請求項３】
前記固有情報は、前記印刷装置に互換の部品の型番を示す部品情報を含み、
前記部品識別情報保存手段は、前記部品情報で示される部品ごとに、前記メッセージ保存手段により保存されたメッセージ情報に係る各言語で表現した部品識別情報を保存することを特徴とする請求項１に記載のプログラム。
【請求項４】
前記印刷装置から状態情報を含む情報を受信する受信手段としてコンピュータをさらに機能させ、
前記部品識別情報は、前記印刷装置で使用される消耗品の識別情報であり、
前記メッセージ保存手段には、選択可能な言語毎に関連づけて、前記状態情報に応じたメッセージ情報が保存されており、
前記メッセージ合成手段は、前記印刷装置からその消耗品の消耗を示す状態情報を受信した場合に、該状態情報に応じた、前記言語選択手段により選択された言語のメッセージ情報と、前記取得手段により取得された固有情報の値および前記言語選択手段により選択された言語に関連づけられた部品識別情報とを合成して、出力するメッセージを作成することを特徴とする請求項１乃至３のいずれか１項に記載のプログラム。
【請求項５】
前記消耗品はインクカートリッジであることを特徴とする請求項４に記載のプログラム。
【請求項６】
前記消耗品はトナーカートリッジであることを特徴とする請求項４に記載のプログラム。
【請求項７】
固有情報を保持する印刷装置と接続された情報処理装置であって、
使用する言語として選択可能な言語ごとに関連づけてメッセージ情報を保存するメッセージ保存手段と、
前記印刷装置に保持される固有情報の値ごとに関連づけて部品識別情報を保存する部品識別情報保存手段と、
使用する言語を選択するための言語選択手段と、
前記印刷装置から、該印刷装置に保持された固有情報を取得する取得手段と、
前記言語選択手段により選択された言語に関連づけられたメッセージ情報と、前記取得手段により取得された固有情報の値および前記言語選択手段により選択された言語に関連づけられた部品識別情報とを合成して、出力するメッセージを作成するメッセージ合成手段と、
前記メッセージ合成手段により合成されたメッセージを表示する表示手段と
を備えることを特徴とする情報処理装置。
【請求項８】
固有情報を保持する印刷装置と接続された情報処理装置における印刷装置の状態表示方法であって、
使用する言語を選択するための言語選択工程と、
前記印刷装置から、該印刷装置に保持された固有情報を取得する第１の取得工程と、
前記言語選択工程により選択された言語に関連づけられたメッセージ情報を、使用する言語として選択可能な言語ごとに関連づけてメッセージ情報を保存するメッセージ保存手段から取得する第２の取得工程と、
前記第１の取得工程により取得された固有情報の値および前記言語選択工程により選択された言語に関連づけられた部品識別情報を、前記印刷装置に保持される固有情報の値ごとに関連づけて部品識別情報を保存する部品識別情報保存手段から取得する第３の取得工程と、
前記第２の取得工程により取得したメッセージ情報と、前記第３の取得工程により取得した部品識別情報とを合成して、出力するメッセージを作成するメッセージ合成工程と、
前記メッセージ合成工程により合成したメッセージを表示するための工程と
を備えることを特徴とする状態表示方法。
【請求項９】
周辺デバイスからの状態情報の通知に応じて、該周辺デバイスに保存されているデバイス情報を取得し、
前記デバイス情報をコンピュータの言語環境に対応する可読デバイス情報に変換し、
前記状態情報に対応する、前記コンピュータの言語環境に応じた可読メッセージを決定し、
前記可読デバイス情報および前記可読メッセージを合成して出力メッセージを作成することを特徴とする印刷制御装置。
【請求項１０】
前記部品識別情報保存手段は、前記取得手段により取得された固有情報の値および前記言語選択手段により選択された言語に関連づけられた部品識別情報を、前記印刷装置に保持される固有情報の値ごと、かつ、前記メッセージ保存手段により保存されているメッセージに係る言語ごとに関連づけて前記部品識別情報を保存することを特徴とする請求項１記載のプログラム。
【請求項１１】
前記部品識別情報保存手段は、前記取得手段により取得された固有情報の値および前記言語選択手段により選択された言語に関連づけられた部品識別情報を、前記印刷装置に保持される固有情報の値ごと、かつ、前記メッセージ保存手段により保存されているメッセージに係る言語ごとに関連づけて前記部品識別情報を保存することを特徴とする請求項７記載の情報処理装置。
【請求項１２】
前記部品識別情報保存手段は、前記第１の取得工程により取得された固有情報の値および前記言語選択工程により選択された言語に関連づけられた部品識別情報を、前記印刷装置に保持される固有情報の値ごと、かつ、前記メッセージ保存手段により保存されているメッセージに係る言語ごとに関連づけて前記部品識別情報を保存することを特徴とする請求項８記載の状態表示方法。
【請求項１３】
印刷装置から情報を取得する取得手段と、
設定されている言語に従いメッセージを表示するとともに、前記取得手段により取得した情報に基づき印刷装置の消耗品の型番を表示する表示手段とを有することを特徴とする情報処理装置。
【請求項１４】
前記メッセージは、印刷装置のステータスを含むことを特徴とする請求項１３記載の情報処理装置。
【請求項１５】
印刷装置から情報を取得する取得ステップと、
設定されている言語に従いメッセージを表示するとともに、前記取得ステップにより取得した情報に基づき印刷装置の消耗品の型番を表示する表示ステップとを有することを特徴とする状態表示方法。
【請求項１６】
前記メッセージは、印刷装置のステータスを含むことを特徴とする請求項１５記載の状態表示方法。
【請求項１７】
印刷装置から情報を取得する取得ステップと、
設定されている言語に従いメッセージを表示するとともに、前記取得ステップにより取得した情報に基づき印刷装置の消耗品の型番を表示する表示ステップとをコンピュータに実行させるためのプログラム。
【請求項１８】
前記メッセージは、印刷装置のステータスを含むことを特徴とする請求項１７記載のプログラム。